(57)【特許請求の範囲】
【請求項１】
映像データをワイヤレスで伝送する第１無線通信装置と、該第１無線通信装置から送信される映像データを受信する第２無線通信装置と、受信した前記映像データを表示する表示装置とから構成され、前記第１無線通信装置は、前記表示装置の表示解像度を基に映像データの解像度を変える解像度変換手段を備え、前記解像度変換手段は、入力された映像をワイヤレスで伝送する場合に、無線帯域１ｃｈについては入力された映像のままデータ伝送できる場合であっても他の無線通信のための帯域を確保するために前記第１無線通信装置から前記第２無線通信装置に送信される映像データの解像度を、前記表示装置の表示解像度に合わせる変換を行うワイヤレスＡＶシステムにおいて、
前記第２無線通信装置は、送信されたＨＤ映像／ＳＤ映像を受信する表示解像度情報出力手段と、ＭＰＥＧデコーダと、スケーリング回路と、スケーリングＯＮ／ＯＦＦ信号によりスケーリング回路をバイパスするためのスイッチ及びバイパス経路と、備えて構成され、
前記ＭＰＥＧデコーダの出力は、前記スケーリングＯＮ／ＯＦＦ信号により前記スケーリング回路側とバイパス経路側とに切り換えられ、前記スケーリング回路は、ＨＤ映像をＳＤ映像にダウンコンバートすることを特徴とするワイヤレスＡＶシステム。
【請求項２】
前記解像度変換手段は、ＨＤ映像データをＳＤ映像データにダウンコンバートすることを特徴とする請求項１記載のワイヤレスＡＶシステム。
【請求項３】
ＨＤ映像表示解像度に対応していないにも拘わらず前記第２無線通信装置がダウンコンバートされないＨＤ映像を受信した場合には、前記スケーリングＯＮ／ＯＦＦ信号により前記ＭＰＥＧデコーダの出力を前記スケーリング回路に切り換え、前記スケーリング回路でダウンコンバートさせることを特徴とする請求項１又は２に記載のワイヤレスＡＶシステム。
【請求項４】
前記第１無線通信装置は、前記表示装置の表示解像度情報を入力する表示解像度情報入力手段と、
入力された前記表示解像度情報に基づいて前記解像度変換手段を制御する制御手段とをさらに備えることを特徴とする請求項１から３までのいずれか１項に記載のワイヤレスＡＶシステム。
【請求項５】
前記第２無線通信装置は、前記表示装置の表示解像度情報を前記第１無線通信装置に送信する表示解像度情報出力手段を備えることを特徴とする請求項１から４までのいずれか１項に記載のワイヤレスＡＶシステム。
【請求項６】
前記第１無線通信装置は、ＨＤ映像データを供給する映像入力手段を備えることを特徴とする請求項１から５までのいずれか１項に記載のワイヤレスＡＶシステム。
【請求項７】
前記映像入力手段は、ＨＤ映像を受信可能なチューナ、該チューナ内蔵の表示装置、ＨＤ映像記録再生装置、ＨＤ映像を配信するＣＡＴＶ用セットトップボックスのいずれか一つの機器であることを特徴とする請求項６に記載のワイヤレスＡＶシステム。
【発明の詳細な説明】
【技術分野】
【０００１】
本発明は、ハイビジョン映像をワイヤレスで伝送するワイヤレスＡＶシステム及び無線通信装置に関する。
【背景技術】
【０００２】
近年、インターネットの爆発的な普及に伴い、オフィス、家庭等で、ＬＡＮ（Local Area Network）を構築するケースが増えてきている。デジタル無線通信技術の進歩も手伝い、ノート型パソコンに代表される移動端末での移動環境下における使用も拡大している。このワイヤレスＬＡＮの代表的な技術としては、ＩＥＥＥ（Institute of Electrical and Electronics Engineers）８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサーネットと置きかえることができ、さらに、ワイヤレスであるが故の付加機能として、ローミング（roaming）機能も提供できる仕様になっている。
【０００３】
ところで、無線ネットワークにおいて、送信機、受信機がある特定の周波数（通信チャンネル）通信している場合、同じ通信チャンネルを別の送信機、受信機のペアが使用する場合、データ伝送の帯域が減少するため、後から通信チャンネルを使用する機器は、空いている通信チャンネルに自動的に変更する必要がある。
【０００４】
通信チャンネルを変更する無線通信機器として、例えば特許文献１では、無線通信部が、２．４ＧＨｚ帯のフロントエンド回路と５ＧＨｚ帯のフロントエンド回路を設けて、２．４ＧＨｚ帯と５ＧＨｚ帯の２つの周波数帯に対応したものとすることで、無線ＬＡＮシステムで、同一エリア内で同時に設定可能なチャンネル数を大幅に増加し、妨害電波によって通信リンクが途切れてしまうおそれを低減しようとする。
【０００５】
また、特許文献２には、情報通信可能な情報端末機器を検索して情報通信を確立し、該情報端末機器が有する自端末で処理可能なコンテンツを判別・収集し、コンテンツ情報リストを生成する情報処理システムが開示されている。この情報処理システムは、表示部に、圧縮フォーマット情報、ビットレート情報、サンプリングレート情報、拡張子情報の少なくとも１つを表示するものである。
【０００６】
また、特許文献３には、映像記録装置に保存された圧縮映像データを無線ネットワークを介して配信する映像配信装置が開示されている。
【０００７】
２００３年末より首都圏、近畿圏、中京圏の一部の地域において地上波デジタル放送がはじまり、地上波デジタル放送、ＢＳデジタル放送、１１０度ＣＳ放送、地上アナログ放送、ＢＳアナログ放送等、複数の放送を受信可能なデジタル放送アナログ放送複合受信機が市場に登場し、ハイビジョン放送が普及しつつある。
【０００８】
図４は、ハイビジョン映像を送信する無線通信装置の構成を示す図である。
図４において、送信機１００は、ハイビジョン映像及び音声データ（以下、ＨＤ映像という）を入力する映像入力部１１０、及びＨＤ映像を無線通信により送信する無線ユニット１２０を備えて構成される。また、受信機２００は、送信されたＨＤ映像を受信する無線ユニット２１０、ＭＰＥＧ（Moving Picture Expert Group）デコーダ２２０、スケーリング回路２３０、及び映像回路２４０を備えて構成される。
【０００９】
送信機１００と受信機２００間は、ＩＥＥＥ８０２．１１規格に準拠するＯＦＤＭ（Orthogonal Frequency Division Multiplexing：直交波周波数分割多重）無線方式によりデータが送受信される。最近、周波数帯として５ＧＨｚ帯が開放され、２．４ＧＨｚ帯の代わりに５ＧＨｚ帯を用いる態様でもよい。送信機１００から受信機２００へのデータ伝送は、ＭＰＥＧ２の映像圧縮フォーマットを用いて、動画像伝送やDVD-Video、デジタル放送を２４Ｍｂｐｓを超える通信回線で伝送する。
【００１０】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００１１】
スケーリング回路２３０は、映像回路２４０がＨＤ映像を表示できない標準映像（以下、ＳＤ映像という）の解像度である場合に、ＨＤ映像をＳＤ映像再生用にダウンコンバートする。
【００１２】
【特許文献１】特開２００２−３３６７６号公報
【特許文献２】特開２００３−５０５８９号公報
【特許文献３】特開２００３−１０１５４７号公報
【発明の開示】
【発明が解決しようとする課題】
【００１３】
しかしながら、このような従来の無線通信機器にあっては、情報量の多いＨＤ映像を、限られた無線通信のデータ伝送帯域で伝送していたため、ＨＤ映像の無線通信が始まると無線通信のデータ伝送帯域をほぼ占有し、他の無線通信のための帯域を確保できないという問題点があった。
【００１４】
本発明は、このような課題に鑑みてなされたものであって、無線帯域の効率的な利用ができ、無線通信の汎用性を向上させることができるワイヤレスＡＶシステム及び無線通信装置を提供することを目的とする。
【課題を解決するための手段】
【００１５】
本発明のワイヤレスＡＶシステムは、映像データをワイヤレスで伝送する第１無線通信装置と、該第１無線通信装置から送信される映像データを受信する第２無線通信装置と、受信した前記映像データを表示する表示装置とから構成されるワイヤレスＡＶシステムにおいて、前記第１無線通信装置は、前記表示装置の表示解像度を基に映像データの解像度を変える解像度変換手段を備えることを特徴としている。
【００１６】
前記解像度変換手段は、前記第１無線通信装置から前記第２無線通信装置に送信される映像データの解像度を、前記表示装置の表示解像度に合わせることが好ましい。
【００１７】
前記第１無線通信装置は、前記表示装置の表示解像度情報を入力する表示解像度情報入力手段と、入力された前記表示解像度情報に基づいて前記解像度変換手段を制御する制御手段とをさらに備えることがより好ましい。
【００１８】
前記第２無線通信装置は、前記表示装置の表示解像度情報を前記第１無線通信装置に送信する表示解像度情報出力手段を備えることがより好ましい。
【００１９】
前記第１無線通信装置は、ＨＤ映像データを供給する映像入力手段を備えるものであってもよい。
【００２０】
より好ましい具体的な態様として、前記映像入力手段は、ＨＤ映像を受信可能なチューナ、該チューナ内蔵の表示装置、ＨＤ映像記録再生装置、ＨＤ映像を配信するＣＡＴＶ用セットトップボックスのいずれか一つの機器である。
【００２１】
また、具体的な態様として、前記解像度変換手段は、ＨＤ映像データをＳＤ映像データにダウンコンバートする。
【００２２】
前記映像データは、ＭＰＥＧ符号化方式に準拠したＭＰＥＧストリームにより伝送されるものであってもよい。
前記映像データは、ＯＦＤＭ無線方式により伝送されるものであってもよい。
【００２３】
本発明の無線通信装置は、映像データをワイヤレスで表示装置側に伝送する無線通信装置において、前記表示装置の表示解像度に合わせて映像データの解像度を変える解像度変換手段を備えることを特徴としている。
【発明の効果】
【００２４】
以上、詳述したように、本発明によれば、無線帯域の効率的な利用ができ、無線通信の汎用性を向上させることができる。
【発明を実施するための最良の形態】
【００２５】
以下、添付図面を参照しながら本発明の好適なワイヤレスＡＶシステム及び無線通信装置の実施の形態について詳細に説明する。
【００２６】
第１の実施の形態
図１は、本発明の第１の実施の形態の無線通信装置及びワイヤレスＡＶシステムの構成を示すブロック図である。本実施の形態のワイヤレスＡＶシステムとして、ディスプレイ分離型のワイヤレスＴＶ受信機に適用することができる。
【００２７】
図１において、１はＨＤ映像を供給するＤＶＨＳデッキ（映像入力手段）、２は供給されたＨＤ映像を無線通信により送信する送信機（第１無線通信装置）である。送信機２は、ＨＤ映像を受信側モニタの解像度に合わせるように解像度を変換する解像度変換手段３を備えて構成される。また、受信機４（第２無線通信装置）は、送信機２からのＡＶデータを受信する受信機であり、ＳＤ映像を表示する表示モニタ５（表示装置）に内蔵されている。
【００２８】
ＤＶＨＳデッキ１は、ＨＤ映像を供給可能なＢＳ／ＣＳ，地上波デジタルチューナやＨＤ映像を記録再生可能なＨＤＤレコーダである。さらに、１３９４規格を利用した種々のＡＶ機器、例えばＭＰＥＧ２のＨＤ映像記録再生装置である。
【００２９】
解像度変換手段３は、受信機４側から送られた解像度情報を基に受信側表示モニタ５の解像度に合わせるように解像度を変換する。
【００３０】
送信機２と受信機４間は、ＩＥＥＥ８０２．１１規格に準拠するＯＦＤＭ無線方式によりデータが送受信される。送信機２から受信機４へのデータ伝送は、ＭＰＥＧ２の映像圧縮フォーマットを用いて、動画像伝送やDVD-Video、デジタル放送を２４Ｍｂｐｓを超える通信回線で伝送する。
以下、上述のように構成された無線通信装置の映像データ伝送方法の動作を説明する。
【００３１】
受信機４は、送信機２に対して表示モニタ５の解像度情報を送る。解像度情報は、受信機４側から送信機２側に無線通信により送信してもよいし、ＩｒＤＡ（Infrared Data Association）による赤外線データ通信やＵＳＢ（Universal Serial Bus）などを使用した有線通信により送信してもよい。また、キャリア以外の電波を送受信して無線通信を行うBluetooth、ＵＷＢ（Ultra Wideband）、無線ＬＡＮにより送信してもよく、あるいは、ユーザや機器設置者が送信機２のキー入力等により手動で入力する態様でもよい。ＨＤ映像／ＳＤ映像用の切り換えスイッチを工場出荷段階のデフォルトで用意されていれば更に切り換えが簡単になる。
【００３２】
送信機２には、ＤＶＨＳデッキ１からＨＤ映像が供給され、解像度変換手段３は、供給されたＨＤ映像を表示モニタ５の解像度情報に基づいてダウンコンバートする。ここでは、受信機内蔵表示モニタ５の解像度は、ＳＤ映像の解像度であるため、解像度変換手段３は、送信するＨＤ映像を受信機内蔵表示モニタ５の解像度に合わせたＳＤ映像に変換する。送信機２は、ＳＤ映像にダウンコンバートされたＳＤ映像データを無線通信により受信機４に送信する。無線帯域は、２４Ｍｂｐｓのストリームが伝送可能であるため、ＨＤ映像１ｃｈについてはＨＤ映像のままデータ伝送できるが、本実施の形態は、送信機２側で受信機内蔵表示モニタ５の解像度に合わせた解像度に変換してから映像を圧縮伝送する。因みに、入力ＨＤ映像を送信機から受信機にそのままデータ伝送していた態様が図４に示す従来の無線通信装置である。
【００３３】
受信機４では、ダウンコンバートされたＳＤ映像データを受信して表示モニタ５にＳＤ映像表示する。
【００３４】
以上説明したように、本実施の形態の送信機２は、受信機４側の表示モニタ５の解像度に合わせて解像度を変換する解像度変換手段３を備え、受信機内蔵表示モニタ５の解像度に合わせてＨＤ映像をＳＤ映像にダウンコンバートし、ダウンコンバートしたＳＤ映像を受信機４にデータ伝送しているので、送信機２と受信機４間の無線帯域をデータ量の大きいＨＤ映像データ伝送により占有しない。無線帯域は２４Ｍｂｐｓのストリームが伝送できる場合、ＨＤ映像であれば１ｃｈしかデータ伝送できないがＳＤ映像であれば３ｃｈのストリームを伝送することができ、無線帯域の効率的な利用が可能になる。すなわち、受信機内蔵表示モニタ５では、元々ＳＤ映像しか表示できないため、表示モニタ５で表示できないＨＤ映像によって無線帯域を占有することは好ましくない。この状態を防ぐことができ、無線帯域を他のチャンネルで使用したり他の無線機器の利用機会を増やすことが可能になる。
【００３５】
第２の実施の形態
図２及び図３は、本発明の第２の実施の形態の無線通信装置及びワイヤレスＡＶシステムの構成を示すブロック図であり、図２はその送信機１０（第１無線通信装置）を、図３はその受信機２０（第２無線通信装置）の構成を示す。
【００３６】
図２（ａ）において、送信機１０は、ＨＤ映像を入力する映像入力部１１（映像入力手段）、解像度を変換する解像度変換部１２（解像度変換手段）、映像データを送信する無線ユニット１３（表示解像度情報入力手段）、及びＣＰＵ１４（制御手段）を備えて構成される。図２（ｂ）は、図２（ａ）の解像度変換部１２の詳細な構成を示す図であり、解像度変換部１２は、ＭＰＥＧデコーダ１５、スケーリング回路１６、及びＭＰＥＧエンコーダ１７から構成される。
【００３７】
映像入力部１１は、ＢＳ／ＣＳ，地上波デジタルチューナなどのＨＤ映像入力部や、ＨＤ映像を記録再生可能なＨＤＤレコーダなどのＤＶＨＳデッキ（図１）である。
【００３８】
ＣＰＵ１４は、送信機１０全体の送信制御を実行するとともに、受信機２０側から送られた受信機解像度情報を基に受信側表示モニタの解像度に合わせるように解像度を変換する解像度変換制御信号を生成し、解像度変換部１２のスケーリング回路１６に出力する。
【００３９】
解像度変換部１２は、ＣＰＵ１４からの解像度変換制御信号に従って受信側表示モニタの解像度に合わせるように解像度を変換する。解像度変換は、ＭＰＥＧデコーダ１５により入力データをデコードし、スケーリング回路１６によってＨＤ映像をＳＤ映像にダウンコンバートしてＭＰＥＧエンコーダ１７によりエンコードする。
【００４０】
無線ユニット１３は、基本的には、受信機２０にＨＤ映像／ＳＤ映像を送信する。また、受信機２０から送信された受信機解像度情報を受信する。
【００４１】
送信機１０と受信機２０間は、ＩＥＥＥ８０２．１１規格に準拠するＯＦＤＭ無線方式によりデータが送受信される。送信機１００から受信機２００へのデータ伝送は、ＭＰＥＧ２の映像圧縮フォーマットを用いて、動画像伝送やDVD-Video、デジタル放送を２４Ｍｂｐｓを超える通信回線で伝送する。
【００４２】
図３において、受信機２０は、送信されたＨＤ映像／ＳＤ映像を受信する無線ユニット２１（表示解像度情報出力手段）、ＭＰＥＧデコーダ２２、スケーリング回路２３、スケーリングＯＮ／ＯＦＦ信号によりスケーリング回路２３をバイパスするためのスイッチ及びバイパス経路２４、映像回路２５、及びＣＰＵ２６を備えて構成される。
【００４３】
無線ユニット２１は、基本的には、送信機１０から送信されたＨＤ映像／ＳＤ映像を受信する。また、受信機解像度情報を送信機１０の無線ユニット１３に送信する。
【００４４】
ＣＰＵ２６は、受信機２０全体の受信制御を実行するとともに、映像回路２５に接続される受信側表示モニタ（図示略）の解像度情報を無線ユニット２１に出力し、またスケーリングＯＮ／ＯＦＦ信号をスイッチ及びバイパス経路２４に出力する。ＭＰＥＧデコーダ２２出力は、スケーリングＯＮ／ＯＦＦ信号によりスケーリング回路２３側とバイパス側とに切り換えられる。
スケーリング回路２３は、ＨＤ映像をＳＤ映像にダウンコンバートする。
以下、上述のように構成された無線通信装置の動作を説明する。
【００４５】
受信機２０は、送信機１０に対して受信機表示モニタの解像度情報を送信する。送信機１０の無線ユニット１３は、受信した受信機解像度情報をＣＰＵ１４に出力し、ＣＰＵ１４は、受信機２０側から送られた受信機解像度情報を基に受信側表示モニタの解像度に合わせるように解像度を変換する解像度変換制御信号を生成し、解像度変換部１２のスケーリング回路１６に出力する。
【００４６】
解像度変換部１２では、ＣＰＵ１４からの解像度変換制御信号に従って受信側表示モニタの解像度に合わせるように解像度を変換する。この場合は、ＢＳ／ＣＳ，地上波デジタルチューナなどの映像入力部１１からのＨＤ映像を受信機表示モニタの解像度に合わせたＳＤ映像にダウンコンバートする。
【００４７】
無線ユニット１３では、ＨＤ映像からＳＤ映像にダウンコンバートされたＳＤ映像データを受信機２０に送信する。無線帯域は、２４Ｍｂｐｓのストリームが伝送可能であり、ＨＤ映像１ｃｈについてはＨＤ映像のままデータ伝送できるにも拘わらず、本例では送信機１０側で受信機表示モニタの解像度に合わせた解像度に変換してデータ伝送する。
【００４８】
受信機２０では、無線ユニット２１により、ダウンコンバートされたＳＤ映像データを受信し、ＭＰＥＧデコーダ２２でデコードしてスケーリング回路２３をバイパスして映像回路２５に渡し表示モニタにＳＤ映像表示する。
【００４９】
また、何らかの事情により、受信機側表示モニタがＨＤ映像表示解像度に対応していないにも拘わらず受信機２０がダウンコンバートされないＨＤ映像を受信した場合には、ＣＰＵ２６は、スケーリングＯＮ／ＯＦＦ信号によりＭＰＥＧデコーダ２２出力をスケーリング回路２３に切り換え、スケーリング回路２３でダウンコンバートさせる。
【００５０】
さらに、映像回路２５に接続される表示モニタが、ＨＤ映像表示可能な高解像度モニタに変更された場合などＨＤ映像が表示可能な場合には、受信機２０は、送信機１０に対して受信機表示モニタの解像度情報を送信する。送信機１０の無線ユニット１３は、受信した受信機解像度情報をＣＰＵ１４に出力し、ＣＰＵ１４は、受信機２０側から送られた受信機解像度情報を基に受信側表示モニタの解像度に合わせるように解像度を変換する解像度変換制御信号を生成し、解像度変換部１２のスケーリング回路１６に出力する。ここでは、受信機２０の表示モニタがＨＤ映像表示可能な解像度であるため、ＨＤ映像をＳＤ映像にダウンコンバートする処理を行わず、ＨＤ映像データのまま受信機２０に送信する。受信機２０は、受信したＨＤ映像をＭＰＥＧデコーダ２２でデコードして映像回路２５に渡しＨＤ映像表示モニタにＨＤ映像表示する。
【００５１】
このように、本実施の形態では、受信機２０は、受信機表示モニタの受信機解像度情報を送信する手段を有し、送信機１０は、受信機２０側の表示モニタの受信機解像度情報を受信し解像度変換制御信号を出力するＣＰＵ１４と、解像度変換制御信号により解像度を変換する解像度変換部１２とを備え、受信機内蔵表示モニタの解像度に合わせて映像を受信機２０にデータ伝送するので、第１の実施の形態の場合と同様に、無線帯域の効率的な利用が可能になる。
【００５２】
特に、本実施の形態では、受信機２０から送信された受信機解像度情報により送信機１０側で適応的に解像度を変えて映像を伝送することができ、受信機２０側の表示モニタの変更に迅速に対応することができる。
【００５３】
なお、本発明の無線通信装置及びワイヤレスＡＶシステムは、上述の実施の形態に限定されるものではなく、本発明の要旨を逸脱しない範囲内において種々変更を加え得ることは勿論である。例えば、ワイヤレスＡＶ機器として携帯ＴＶとしているが、チューナと無線通信機能を持ったパソコンや、チューナと表示装置を使用する他のＡＶ機器にも応用できる。また、ＡＶ機器として、ＶＴＲ（Video Tape Recorder）のほか、ＨＤＤやＤＶＤ（Digital Versatile Disk）に記録する記録再生装置や、ＨＤ映像データを機器に入力して外部に配信するＣＡＴＶ用のセットトップボックス（ＳＴＢ）でもよい。
【００５４】
また、上記無線通信装置及びワイヤレスＡＶシステムを構成する各処理部等の種類、設定情報の種類・形式などは前述した実施形態に限られない。特に、ＨＡＶｉ（Home Audio/Video Interoperability）に準拠する機器に適用して好適である。家庭内ＡＶネットワークを実現するための技術として、例えば２０００年１月に標準化が完了したＨＡＶｉArchitectureと呼ばれる標準仕様がある。この仕様は、HAVi V1.0 Specification版の概要部分（1 Generalの1.1 Scope）に記述されているように、家庭用電化製品やコンピュータを接続して、ユーザがある機器を使って別の機器を操作するためのインタフェースの提供を実現している。ＨＡＶｉ仕様書では、一例としてＩＥＥＥ１３９４とＩＥＣ（International Electrotechnical Commission）６１８８３準拠の家庭用電化製品によるネットワークの構築を想定している。また、同仕様書の同概要部分にあるように、ＨＡＶｉによって実現されたネットワークに接続されている機器をすべてのユーザが自由に使用できる。このように、家庭内にあるＡＶ機器を接続してＡＶネットワークを構築することにより、ユーザは離れた部屋にある機器であっても自由に組み合わせて使用できる。
【００５５】
また、ＡＶデータは、ＭＰＥＧ２符号化方式に準拠したＭＰＥＧストリームにより伝送しているが、データ伝送は他のＭＰＥＧ方式によるＭＰＥＧストリームやＭＰＥＧストリーム以外のデータ伝送にも同様に適用できる。
【００５６】
また、本実施の形態ではワイヤレスＡＶシステム及び無線通信装置という名称を用いたが、これは説明の便宜上であり、デジタルテレビジョン受信機、ＡＶ機器、データ伝送方法、情報通信方法等であってもよい。
【００５７】
以上説明した無線通信装置及びワイヤレスＡＶシステムは、この無線通信装置及びワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００５８】
【図１】本発明の第１の実施の形態の無線通信装置の構成を示すブロック図である。
【図２】本発明の第２の実施の形態の無線通信装置及びワイヤレスＡＶシステムの構成を示すブロック図である。
【図３】本実施の形態の無線通信装置及びワイヤレスＡＶシステムの構成を示すブロック図である。
【図４】従来のハイビジョン映像を送信する無線通信装置の構成を示す図である。
【符号の説明】
【００５９】
１  ＤＶＨＳデッキ（映像入力手段）
２，１０  送信機（第１無線通信装置）
３  解像度変換手段
４，２０  受信機（第２無線通信装置）
１１  映像入力部（映像入力手段）
１２  解像度変換部（解像度変換手段）
１３  無線ユニット（表示解像度情報入力手段）
１４  ＣＰＵ（制御手段）
１５  ＭＰＥＧデコーダ
１６  スケーリング回路
１７  ＭＰＥＧエンコーダ
２１  無線ユニット（表示解像度情報出力手段）
２２  ＭＰＥＧデコーダ
２３  スケーリング回路
２４  スイッチ及びバイパス経路
２５  映像回路
２６  ＣＰＵ
【図１】
0004758615.tif 000002
【図２】
0004758615.tif 000003
【図３】
0004758615.tif 000004
【図４】
0004758615.tif 000005